(57)【特許請求の範囲】
【請求項１】
モータハウジング外周面に取り付けられるとともに、モータ本体から引き出された内部リード線と、外部から引き込まれた外部ケーブルとを接続する端子台を内蔵したモータ用端子箱において、前記端子箱を、前記モータハウジング外周面に装着された台座部と、この台座部に着脱自在に組み付けられるとともに、ケーブル引き出し口を設けた端子箱外枠と、この端子箱外枠に組み付けられ、内部を密閉する蓋体とで構成し、前記台座部に、前記端子台を装着した基板を着脱自在に組付け、この基板の前後の向きを反転可能に、前記台座部に対する該基板の取付部を点対称に形成したことを特徴とするモータ用端子箱。
【請求項２】
前記モータ本体から引き出された内部リード線を、前記基板の端子台を配置する面と逆の面で前記端子台の端子に電気的に接続したことを特徴とする請求項１に記載のモータ用端子箱。
【請求項３】
前記基板の前後を反転させたとき、点対称になるように前記端子台を前記基板の一辺に沿って設けたことを特徴とする請求項１に記載のモータ用端子箱。
【請求項４】
前記端子箱を正方形に形成し、該端子箱の外枠にケーブル引き出し口を設けるとともに、前記端子箱の外枠を四分の一回転ずつ回転可能に構成したことを特徴とする請求項１に記載のモータ用端子箱。
【請求項５】
前記端子箱の外枠にケーブル引き出し口を固定できるように、前記端子箱の外枠の内面にケーブル引き出し口の両側に対応してリブを設けたことを特徴とする請求項１に記載のモータ用端子箱。
【請求項６】
前記端子箱の外枠の一面に１つのケーブル引き出し口を固定できるように、前記端子箱の外枠の内面にケーブル引き出し口の両側に対応して２つのリブを設け、その向かい側の外枠の内面に２つのケーブル引き出し口を固定できるように、ケーブル引き出し口に対応して３つのリブを設けたことを特徴とする請求項１に記載のモータ用端子箱。
【請求項７】
前記基板を前記台座部に基板固定用ネジを介してネジ止めするとともに、該基板固定用ネジのうちの１つが保護接地端子の機能を備えたことを特徴とする請求項１ないし５のいずれか１項に記載のモータ用端子箱。
【発明の詳細な説明】
【技術分野】
【０００１】
本発明は、モータ用端子箱に関する。
【背景技術】
【０００２】
従来、この種のモータ用端子箱としては、特開昭５７−０２５１３３号公報（特許文献１）あるいは特開２００４−０５６９４３号公報（特許文献２）が知られている。
特許文献１には、端子箱を正方形に形成するとともに、端子板を元の位置から９０°回転した二方向に取り付け可能に形成したので、外部リード線をいずれの方向にも引き出すことができる旨記載されている。
特許文献２では、ベース３、電線挿通部材１０、蓋１３から構成される正方形の端子箱で、電線挿通穴を４つの方向に向けることが可能な端子箱が提案されている。
【特許文献１】特開昭５７−０２５１３３号公報
【特許文献２】特開２００４−０５６９４３号公報
【発明の開示】
【発明が解決しようとする課題】
【０００３】
しかしながら、このような従来のモータ用端子箱にあっては、端子台が端子箱の中央部に設置されているため、ケーブル引き出し口から端子台までの距離が短く配線作業がしづらいという問題があった。
また、モータの口出し線が端子台と同一面に固着されているため、配線のためのスペースが狭くなるという問題もあった。
さらに、ケーブル引き出し口の数が１つに限定されるという問題もあった。
またさらに、保護接地端子が無いという問題もあった。
【０００４】
本発明は、上記課題を解決し、端子台を装着した基板の向きを変えることで、端子台の位置を変えることが可能で、ケーブル引き出し口から端子台までの距離を長くすることによって、配線がしづらいという従来の問題点を解決することができるモータ用端子箱を提供することを目的とする。
【課題を解決するための手段】
【０００５】
本発明は上記課題を解決するため、モータハウジング外周面に取り付けられるとともに、モータ本体から引き出された内部リード線と、外部から引き込まれた外部ケーブルとを接続する端子台を内蔵したモータ用端子箱において、前記端子箱を、前記モータハウジング外周面に装着された台座部と、この台座部に着脱自在に組み付けられるとともに、ケーブル引き出し口を設けた端子箱外枠と、この端子箱外枠に組み付けられ、内部を密閉する蓋体とで構成し、前記台座部に、前記端子台を装着した基板を着脱自在に組付け、この基板の前後の向きを反転可能に、前記台座部に対する該基板の取付部を点対称に形成したことにある。
また、本発明は、前記モータ本体から引き出された内部リード線を、前記基板の端子台を配置する面と逆の面で前記端子台の端子に電気的に接続したことにある。
さらに、本発明は、前記基板の前後を反転させたとき、点対称になるように前記端子台を前記基板の一辺に沿って設けたことにある。
またさらに、本発明は、前記端子箱を正方形に形成し、該端子箱の外枠にケーブル引き出し口を設けるとともに、前記端子箱の外枠を四分の一回転ずつ回転可能に構成したことにある。
また、本発明は、前記端子箱の外枠にケーブル引き出し口を固定できるように、前記端子箱の外枠の内面にケーブル引き出し口の両側に対応してリブを設けたことにある。
さらに、本発明は、前記端子箱の外枠の一面に１つのケーブル引き出し口を固定できるように、前記端子箱の外枠の内面にケーブル引き出し口の両側に対応して２つのリブを設け、その向かい側の外枠の内面に２つのケーブル引き出し口を固定できるように、ケーブル引き出し口に対応して３つのリブを設けたことにある。
またさらに、本発明は、前記基板を前記台座部に基板固定用ネジを介してネジ止めするとともに、該基板固定用ネジのうちの１つが保護接地端子の機能を備えたことにある。
【発明の効果】
【０００６】
本発明によれば次のような効果を奏する。
請求項１の発明によれば、端子箱を、前記モータハウジング外周面に装着された台座部と、この台座部に着脱自在に組み付けられるとともに、ケーブル引き出し口を設けた端子箱外枠と、この端子箱外枠に組み付けられ、内部を密閉する蓋体とで構成し、前記台座部に、前記端子台を装着した基板を着脱自在に組付け、この基板の前後の向きを反転可能に、前記台座部に対する該基板の取付部を点対称に形成したので、端子台を装着した基板の向きを変えることにより、端子台の位置を変えることが可能で、ケーブル引き出し口から端子台までの距離を長くすることによって、配線がしづらいという従来の問題点を解決することができる。
請求項２の発明によれば、モータ本体から引き出された内部リード線を、前記基板の端子台を配置する面と逆の面で前記端子台の端子に電気的に接続したので、配線スペースが狭くなるという従来の問題点を解決することができる。
請求項３の発明によれば、基板の前後を反転させたとき、点対称になるように前記端子台を前記基板の一辺に沿って設けたので、ケーブル引き出し口から端子台までの距離を長くすることによって、配線作業を容易に行なうことができる。
請求項４の発明によれば、端子箱を正方形に形成し、該端子箱の外枠にケーブル引き出し口を設けるとともに、前記端子箱の外枠を四分の一回転ずつ回転可能に構成したので、ケーブル引き出し口を任意の方向に向けることができる。
請求項５の発明によれば、端子箱の外枠にケーブル引き出し口を固定できるように、前記端子箱の外枠の内面にケーブル引き出し口の両側に対応してリブを設けたので、ケーブル引き出し口を補強することができる。
請求項６の発明によれば、前記端子箱の外枠の一面に１つのケーブル引き出し口を固定できるように、前記端子箱の外枠の内面にケーブル引き出し口の両側に対応して２つのリブを設け、その向かい側の外枠の内面に２つのケーブル引き出し口を固定できるように、ケーブル引き出し口に対応して３つのリブを設けたので、ケーブル引き出し口を補強することができる。
請求項７の発明によれば、基板を前記台座部に基板固定用ネジを介してネジ止めするとともに、該基板固定用ネジのうちの１つが保護接地端子の機能を備えたので、基板固定用ネジのうちの１つを利用して保護接地端子を接続することができる。
【発明を実施するための最良の形態】
【０００７】
以下本発明の実施の形態を、図面を参照しながら詳細に説明する。
図１は、モータ用端子箱を示す縦断面図、図２は図１の蓋体を外して示す平面図、図３は、モータ用端子箱を分解して示す斜視図である。図４は、端子箱外枠と基板の前後の向きを反転（１８０°回転）させた状態を示す縦断面図、図５は図４の蓋体を外して示す平面図、図６（ａ）（ｂ）（ｃ）は端子箱外枠の向きを四分の一回転ずつ変えた状態を示す平面図である。
【０００８】
図１ないし図３において、１はモータで、モータ本体２とモータ用端子箱３で構成されている。モータ本体２は、モータハウジング１０と、エンドブラケット１０ａでモータケース１１が構成されている。モータケース１１内に固定子１２および回転子１３が設けられ、回転子１３に装着された回転軸（出力軸）１４を介して出力を取り出すものである。回転軸１４は前記モータケース１１内に設けられたボス部１１ａ，１１ｂに配設された回転軸軸受け１５を介して支持されている。固定子１２の固定子巻線１６には電源ケーブルとなる内部リード線１６ａが接続されており、この内部リード線１６ａがモータハウジング１０の上面に形成された孔１７を介して外部に引き出されている。このモータハウジング１０の孔１７上面にはモータ用端子箱３が設けられており、このモータ用端子箱３の内部に前記内部リード線１６ａが導入されている。通常、内部リード線１６ａには、電源ケーブルの他にモータを制御する信号ケーブルも含まれている。
【０００９】
モータ用端子箱３は、モータハウジング１０の外周面に装着された台座部３０と、この台座部３０に組み付けられた端子箱外枠３１と、この端子箱外枠３１に組み付けられ内部を密閉する蓋体３２とで構成されている。モータ用端子箱３は、平面視で正方形に構成されており、内部に端子台４０が装着された基板４１が内蔵されている。
【００１０】
前記台座部３０は、モータハウジング１０の上面に設けられ、前記モータハウジング１０の孔１７に対向する孔３０ａが設けられている。孔１７および孔３０ａを通して前記内部リード線１６ａがモータ用端子箱３内に導入されている。前記台座部３０は、四角形に形成された板面の四隅にネジ孔３３ａを形成した座部３３が設けられている。この座部３３に対応する位置に、前記端子箱外枠３１の内側四隅に張り出した座部３４が設けられ、座部３３のネジ孔３３ａに対応して座部３４のネジ孔３４ａが設けられている。前記台座部３０はネジ孔３３ａを前記端子箱外枠３１の座部３４のネジ孔３４ａに合わせてネジ３５で互いに締結されている。前記台座部３０には、１箇所の座部３３の側に保護接地端子３６が取り付けられている。前記端子箱外枠３１の四隅には、それぞれ肉厚部３７にネジ孔３７ａが螺刻されており、このネジ孔３７ａに前記蓋体３２が螺着されている。該蓋体３２には、四隅にネジ孔３８ａが形成されており、このネジ孔３８ａに挿通されたネジ３９が前記端子箱外枠３１のネジ孔３７ａに螺着されている。
【００１１】
前記基板４１には、板面の一側に沿って端子台４０が設けられており、端子台４０には、ケーブルを接続するケーブル端子４２が複数個（図示例では３箇）設けられている。このケーブル端子４２は、基板４１の裏側に下端部が突出して設けられており、基板４１の裏側では、前記モータケース１１内から引き出された内部リード線１６ａがケーブル端子４２に接続されている。前記基板４１は、四角形の基板の四隅を切り欠いて形成されており、この基板４１の３箇所の切欠部４１ａの側には、取付部としてネジ孔が形成され、これらネジ孔にネジ４３が挿通されて前記台座部３０に螺着されている。該基板４１の一箇所の切欠部４１ｂは、前記台座部３０に装着される保護接地端子３６の取付位置を避けるように大きく切欠いて形成されている。前記基板４１の形状は、基板４１の前後の向きを反転、すなわち、１８０°回転させたとき、点対称になるように形成されており、前記端子台４０の位置も同様に点対称になるように取り付けられている。前記端子台４０は、前記端子箱外枠３１の一側面に沿って基板４１の端部に組みつけられており、基板４１を反転させて、１８０°回転させたとき、端子台４０は、反対側に位置を変えるように点対称に取り付けられている。
【００１２】
前記端子箱外枠３１の一側面には、図示しない開口孔にケーブル引き出し口４４が設けられており、このケーブル引き出し口４４を通して外部ケーブル５０が前記端子台４０のケーブル端子４２に接続されている。該ケーブル引き出し口４４は、パイプ４５の外面にネジを切り、このネジに２個のナット４６，４７を螺合してパイプ４５を前記端子箱外枠３１の壁面３１ａに両側から挟持するように固定されている。
【００１３】
上記モータ用端子箱の組付け手順を説明する。
モータ用端子箱３は、モータハウジング１０の外周面に装着された台座部３０と、この台座部３０に組み付けられた端子箱外枠３１と、この端子箱外枠３１に組み付けられた蓋体３２とがそれぞれネジ止めによって組み立てられている。モータケース１１から引き出された内部リード線１６ａは、モータ用端子箱３の内部の端子台４０のケーブル端子４２に基板４１の下面側で接続されている。
【００１４】
そして、モータ１の設置に際して電源あるいは信号を送る外部ケーブル５０を接続する場合、モータ用端子箱３の蓋体３２を外して、端子箱外枠３１のケーブル引き出し口４４と外部ケーブル５０の引き出し方向から端子箱外枠３１の向きを決定する。図６（ａ）（ｂ）（ｃ）は、端子箱外枠３１の向きを四分の一回転ずつ、すなわち、９０°ずつ変えたもので、図６（ａ）は、回転軸（出力軸）１４の左側にケーブル引き出し口４４を配置したものである。図６（ｂ）は、回転軸（出力軸）１４の反対側にケーブル引き出し口４４を配置したものである。図６（ｃ）は、回転軸１４出力側の右側にケーブル引き出し口４４を配置したものである。この場合、端子台４０はいずれも回転軸１４の出力側に近い方に配置されている。
【００１５】
端子箱外枠３１の向きによって、端子台４０の位置を変えるように基板４１の前後の向きを反転、すなわち、１８０°回転させる。図１、図２および図４、図５は、回転軸（出力軸）１４の反対側にケーブル引き出し口４４を配置した状態（図１および図２参照）から、回転軸（出力軸）１４の方向にケーブル引き出し口４４を変えた状態（図４および図５参照）を示したものである。
基板４１の形状および取付位置は、基板４１の前後の向きを反転、すなわち、１８０°回転させたとき、点対称になるように形成されているので、半回転させることにより、端子台４０の位置がケーブル引き出し口４４から遠くに移動する。こうして、外部ケーブル５０を端子台４０のケーブル端子４２に容易に接続することができる。
【００１６】
図７は本発明の他の実施の形態で、図１および図２と同一部分は同符号を付して同一部分の説明は省略して説明する。
この場合、ケーブル引き出し口４４は、端子箱外枠３１の片側に一箇所、反対側の面に二箇所設けたもので、それぞれナット４７の周囲をリブ５１で補強している。一箇所のケーブル引き出し口４４には、補強するリブ５１がナット４７の両側に設けられている。また、反対側の面には、ナット４７を挟んで交互に３箇所のリブ５１が設けられて、二箇所のケーブル引き出し口４４をそれぞれ３箇所のリブ５１で補強している。
【００１７】
図８および図９は、本発明の他の実施の形態で、図１および図２と同一部分は同符号を付して同一部分の説明は省略して説明する。
図８の場合、端子箱外枠３１を上下２段に構成し、ケーブル引き出し口４４をそれぞれ異なる方向に向けて配置している。そして、大型の回路あるいはコンデンサ等の部品７０を収納することができる。
図９の場合、高さのある端子箱外枠３１´を用いることにより、大型の回路あるいはコンデンサ等の部品７０を収納することができる。
【００１８】
上記の実施の形態によれば、ケーブル引き出し口４４から端子台４０までの距離を長くとることができるので、配線作業が容易である。蓋体３２のみを外して容易に結線後の状態を確認することができる。ケーブル引き出し口４４を１つまたは２つとする選択を行なうことができるので、任意の方向にケーブルを引き出すことができる。また、シールコネクタなどの固定が容易である。さらに、端子箱の大きさを変更することができるので、大型の部品も搭載することができる。
また、４箇所の基板４１の固定部のうち、1箇所を保護接地端子接続部として使用しているため、基板４１の取り付け方向を１８０°回転した場合においても保護接地端子接続部を確保できる。
【００１９】
なお、本発明は上記の実施の形態のみに限定されるものではなく、例えば、基板４１に設けられた端子台４０の位置は、できるだけ基板４１の端部に設置することにより、ケーブル引き出し口４４からの距離を大きくとることができる。
【図面の簡単な説明】
【００２０】
【図１】本発明の実施の形態によるモータ用端子箱を示す部分断面図である。
【図２】図１の蓋体を外して示す平面図である。
【図３】モータ用端子箱を分解して示す斜視図である。
【図４】端子箱外枠と基板の向きを反転、すなわち１８０°回転させた状態を示す縦断面図である。
【図５】図４の蓋体を外して示す平面図である。
【図６】（ａ）（ｂ）（ｃ）は端子箱外枠の向きを四分の一回転、すなわち９０°ずつ変えた状態を示す平面図である。
【図７】本発明の他の実施の形態によるモータ用端子箱を示す平面図である。
【図８】本発明の他の実施の形態によるモータ用端子箱を示す斜視図である。
【図９】本発明の他の実施の形態によるモータ用端子箱を示す斜視図である。
【符号の説明】
【００２１】
１  モータ
２  モータ本体
３  モータ用端子箱
１０  モータハウジング
１１  モータケース
１４  回転軸（出力軸）
１６  固定子巻線
１６ａ  内部リード線
１７  孔
３０  台座部
３１  端子箱外枠
３２  蓋体
３６  保護接地端子
４０  端子台
４１  基板
４２  ケーブル端子
４４  ケーブル引き出し口
５０  外部ケーブル
５１  リブ
【図１】
0005103266.tif 000002
【図２】
0005103266.tif 000003
【図３】
0005103266.tif 000004
【図４】
0005103266.tif 000005
【図５】
0005103266.tif 000006
【図６】
0005103266.tif 000007
【図７】
0005103266.tif 000008
【図８】
0005103266.tif 000009
【図９】
0005103266.tif 000010